(57)【要約】【課題】液体内容物を高温充填したのちのシャワー冷却工程において、キャップの周壁内周面と容器の注出口部の外周面との間に冷却水が混入することが防げる冷却水混入防止付キャップを提供する。【解決手段】液体内容物を高温充填したのちにシャワー冷却する容器の注出口部に螺着するキャップであって、キャップ１００　の雌ネジ１２１　を形成する周壁１２０　内周面に縦の空気供給用溝１２２　を周方向に等間隔で複数本設け、かつ周壁の下端裾部１２３　を外側へ広げて、この下端裾部の内周面と容器の注出口部の外周面との間に広い空間を形成させる。【選択図】図１
2004035030.tif 000002
【特許請求の範囲】
【請求項１】
液体内容物を高温充填したのちにシャワー冷却する容器の注出口部に螺着するキャップであって、前記キャップの雌ネジを形成する周壁内周面に縦の空気供給用溝を周方向に等間隔で複数本設け、かつ周壁の下端裾部を外側へ拡径し、該下端裾部の内周面と容器の注出口部の外周面との間に広い空間を形成させたことを特徴とする冷却水混入防止付キャップ。
【請求項２】
前記容器の注出口部が、液体用紙容器の注出位置に取り付けられたスパウトであることを特徴とする請求項１記載の冷却水混入防止付キャップ。
【請求項３】
前記容器の注出口部が、パウチの注出位置に取り付けられたスパウトであることを特徴とする請求項１記載の冷却水混入防止付キャップ。
【請求項４】
前記容器の注出口部が、プラスチックボトルの口頸部であることを特徴とする請求項１記載の冷却水混入防止付キャップ。
【発明の詳細な説明】
【０００１】
【発明の属する技術分野】
本発明は、液体内容物を高温充填したのちにシャワー冷却する容器の注出口部に螺着するキャップに関するものである。
【０００２】
【従来の技術】
従来、液体用紙容器、軟質包装材料のパウチ、プラスチックボトルなどの容器は、液体内容物を高温充填して密封したのちに、容器の変形を防止するために冷却水で容器をシャワー冷却していた。この冷却工程において、注出口部にキャップを螺着する容器は、内容物の体積が減り容器内が減圧して容器やキャップが変形すると同時に、キャップの内周面と容器の注出口部の外周面との間の空間の空気が収縮して減圧状態となり、キャップの周壁下端と容器の注出口部との間から冷却水が混入することがあった。これを防ぐために、例えば周壁の上方部に横の空気供給用スリットを周方向に等間隔で複数本設けたり、雌ネジを形成する周壁内周面に縦の空気供給用溝を周方向に等間隔で複数本設けたり、また、両方を併用していた。
【０００３】
【発明が解決しようとする課題】
しかしながら、上述の空気供給用スリットを周壁の上方に設けたものは、スリットから冷却シャワーの水滴が混入することがあり、また、空気供給用溝を雌ネジを形成する周壁内周面に設けたものは、空気と冷却水とが一緒に供給されてしまうことがあり、不完全であった。
【０００４】
本発明は、上述の従来の問題を解決したものであり、液体内容物を高温充填したのちのシャワー冷却工程において、キャップの周壁内周面と容器の注出口部の外周面との間に冷却水が混入することが防げる冷却水混入防止付キャップを提供するものである。
【０００５】
【課題を解決するための手段】
すなわち、第１の発明は、液体内容物を高温充填したのちにシャワー冷却する容器の注出口部に螺着するキャップであって、前記キャップの雌ネジを形成する周壁内周面に縦の空気供給用溝を周方向に等間隔で複数本設け、かつ周壁の下端裾部を外側へ拡径し、該下端裾部の内周面と容器の注出口部の外周面との間に広い空間を形成させたことを特徴とする冷却水混入防止付キャップである。
【０００６】
次に、本発明の第２の発明は、前記容器の注出口部が、液体用紙容器の注出位置に取り付けられたスパウトであることを特徴とする第１の発明に記載の冷却水混入防止付キャップである。
【０００７】
次に、本発明の第３の発明は、前記容器の注出口部が、パウチの注出位置に取り付けられたスパウトであることを特徴とする第１の発明に記載の冷却水混入防止付キャップである。
【０００８】
そして、本発明の第４の発明は、前記容器の注出口部が、プラスチックボトルの口頸部であることを特徴とする第１の発明に記載の冷却水混入防止付キャップである。
【０００９】
【発明の実施の形態】
次に、本発明の冷却水混入防止付キャップの実施の形態について、図を用いて詳細に説明する。
図１は、本発明の一実施形態の冷却水混入防止付キャップの断面図であり、図２は、その冷却水混入防止付キャップを、液体用紙容器の口栓取付孔に突設するスパウトに螺着したときの断面図である。
【００１０】
本発明の冷却水混入防止付キャップは、液体内容物を高温充填したのちにシャワー冷却する容器の注出口部に螺着するキャップであり、例えば、胴部が四角柱状の液体用紙容器（３００）の頂部傾斜板（３１０）に、図２に示すように、超音波シール法などで内付けで熱融着して突設するスパウト（２００）（注出口部）に螺合させて使用するものであり、そのキャップ（１００）の一実施形態の構造は、図１に示すように、天板（１１０）下面に容器（３００）のスパウト（２００）を封止するためのコンタクト封止リング（１１１）やインナー封止リング（１１２）を設けるものであり、スパウトの雄ネジと螺合する雌ネジ（１２１）を形成する周壁（１２０）内周面に縦の空気供給用溝（１２２）を周方向に等間隔で通常では６本設けるものである。また、図２に示すように、周壁（１２０）の下端裾部（１２３）を外側へ拡径して、周壁の下端裾部の内周面とスパウト（２００）の注出筒（２２０）の下端部外周面との間に広い空間（１０１）を形成させるものである。なお、図２に示すスパウト（２００）は、下端外周に容器と熱融着するフランジ（２４０）を周設する環状台座部（２１０）の上面内周縁部に、外周面にキャップ（１００）との雄ネジ（２２１）をもつ注出筒（２２０）を立設し、この注出筒の内側下方を封鎖板（２３０）を設けて封鎖し、この封鎖板の下面に垂直断面がＶ字状の環状切込み（２３１）を設けて下面の開口予定位置に環状薄肉脆弱線（２３２）を形成し、環状切込みの内側近傍の上面の一側に、先端にプルリング（２３４）を接続する支柱（２３３）を立設するものである。
【００１１】
本発明の冷却水混入防止付キャップは、上述した液体用紙容器の注出位置に取り付けられたスパウトに螺着して使用するだけでなく、軟質包装材料のパウチの注出位置に取り付けられたスパウトに螺着して使用してもよく、また、プラスチックボトルの口頸部に螺着して使用することもできる。
【００１２】
そして、本発明の冷却水混入防止付キャップを注出口部に螺着した容器は、液体内容物を高温充填したのちのシャワー冷却工程において、キャップの内周面と容器の注出口部の外周面と間の空間の空気が冷却により収縮して減圧状態になり、キャップの周壁の下端と容器の注出口部との隙間から水滴が介在する空気を吸引しても、図２に示すように、キャップ（１００）の周壁（１２０）の下端裾部（１２３）を外側へ拡径してキャップの周壁の下端裾部の内周面と容器の注出口部（２００）の外周面との間に広い空間（１０１）が形成されており、この広い空間を通過するときに、比重の違いから水滴がこの広い空間に残り空気が上方に吸い上げられる。この吸い上げられる空気は、図１に示すキャップ（１００）の雌ネジ（１２１）を形成する周壁（１２０）内周面に周方向に等間隔で複数本設けられている縦の空気供給用溝（１２２）の効果により全周に容易に行き渡る。一方、従来の通常のキャップを注出口部に螺着した容器は、図３に示すように、キャップ（１００）の周壁（１２０）の下端の内周面と容器の注出口部（２００）の外周面との間が狭い空間であり、水滴が介在する空気がそのまま上方に吸い上げられる。
【００１３】
【発明の効果】
液体内容物を高温充填したのちにシャワー冷却する容器の注出口部に本発明の冷却水混入防止付キャップを螺着すると、シャワー冷却工程において、キャップの周壁内周面と容器の注出口部の外周面との間に冷却水が混入することが防げる。
【図面の簡単な説明】
【図１】本発明の一実施形態の冷却水混入防止付キャップの断面図である。
【図２】図１に示す本発明の冷却水混入防止付キャップを、液体用紙容器の口栓取付孔に突設するスパウトに螺着したときの断面図である。
【図３】従来の一例のキャップを、液体用紙容器の口栓取付孔に突設するスパウトに螺着したときの断面図である。
【符号の説明】
１００……キャップ
１０１……広い空間
１１０……天板
１１１……コンタクト封止リング
１１２……インナー封止リング
１２０……周壁
１２１……雌ネジ
１２２……空気供給用溝
１２３……裾部
２００……スパウト又は注出口部
２１０……環状台座部
２２０……注出筒
２２１……雄ネジ
２３０……封鎖板
２３１……環状切込み
２３２……環状薄肉脆弱線
２３３……支柱
２３４……プルリング
２４０……フランジ
３００……液体用紙容器
３０１……頂部傾斜板
【図１】
2004035030.tif 000003
【図２】
2004035030.tif 000004
【図３】
2004035030.tif 000005